(57)【特許請求の範囲】
【請求項１】
治療台等の背板１に装備される安頭台２を支持する円弧状支持角筒３と，背板１から突設して該円弧状支持角筒３に摺動自在に嵌挿されてなる円弧状支持角軸５を有する安頭台傾動調整装置において，
前記円弧状支持角筒３内に側設され，円弧状案内角溝４の側面の途中に凹設されたくさび形状のウエッジ室７内に配置されたロックローラー６と同ローラーをウエッジ室のテーパー面に押し込む方向へ付勢するためのスプリング８とを具備してなるローラーウェッジ式ロック装置Ｒと，そのロック解除装置Ｆとを備えてなることを特徴とする治療台等の安頭台傾動調整装置。
【請求項２】
治療台等の背板１に装備される安頭台２を支持する円弧状支持角筒３と，背板１から突設して該円弧状支持角筒３に摺動自在に嵌挿されてなる円弧状支持角軸５を有する安頭台傾動調整装置において，
円弧状支持角筒３が，安頭台２をその裏面凹部２ａに埋没するようにして支持する台座３ａの下部に円弧状案内角溝４を内設した円弧状角函体３ｂを連結して形成され，円弧状支持角軸５が，前記円弧状案内角溝４に摺動自在な円弧状角軸体５ａと背板１への取付部材５ｂとを連結して形成され，
ローラーウェッジ式ロック装置Ｒと，そのロック解除装置Ｆとを備えてなり，
ローラーウェッジ式ロック装置Ｒが，円弧状支持角筒３内に側設され，円弧状案内角溝４の側面の途中に凹設されたくさび形状のウエッジ室７内に配置されたロックローラー６と同ローラーをウエッジ室のテーパー面に押し込む方向へ付勢するためのスプリング８とを具備してなり，円弧状案内角溝４内を摺動する円弧状支持角軸５の側面をそのロックローラー６により楔止するごとくし，
ロック解除装置Ｆが，その解除装置台９を台座３ａの裏面に設置し，該解除装置台９に手動の操作ボタン９ｂを嵌着し，該操作ボタン９ｂの手押しとロックローラー６の楔止を連動し，該操作ボタン９ｂを手で押すとロックローラー６の楔止を解除して安頭台２を傾動自在とし，該操作ボタン９ｂを放すとスプリング８によりロックローラー６を楔止させ，安頭台２の傾動をロックするごとくした構成を特徴とする治療台等の安頭台傾動調整装置。
【請求項３】
安頭台２を支持する台座３ａの裏面に設置された解除装置台９と，該解除装置台９に嵌着された円柱状の操作ボタン９ｂと，該操作ボタン９ｂに形設された円錐カム９ｃと，該解除装置台９に揺動自在に枢着され，その一端に円錐カム９ｃの対接ローラー９ｄを装着し，その他端を円弧状支持角筒３の円弧状案内角溝４内に突出させた解除リング９ｅと，前記円弧状案内角溝４に沿って掘設された凹溝１０ａ内を摺動自在で，その一端を該解除リンク９ｅの突出部９ｆに当接し，その他端をくさび形状のウェッジ室７内のロックローラー６に当接する円弧状ロック解除角棒１０とを備え，前記操作ボタン９ｂの手押しとロックローラー６の楔止を連動させるごとくした構成を特徴とする請求項２に記載の治療台等の安頭台傾動調整装置。
【発明の詳細な説明】
【０００１】
【産業上の利用分野】
本発明は安頭台を任意の傾度に調整自在としたことを特徴とする治療台の手動式傾動調整装置に関する。
【０００２】
【従来の技術と発明が解決しようとする課題】
従来の安頭台の手動式傾動調整装置は，円弧状案内溝を備えた案内筒を背板から突設させ，安頭台に下設された円弧状支持軸を該案内筒に摺動自在に嵌挿し，該支持軸の下周面に多数のラチェット歯を刻設し，該案内筒の基幹部に該ラチェット歯に噛合するラチェット爪を枢設し，安頭台の付け根に突設したロック装置の操作ハンドルにより前記ラチェット歯へのラチェット爪の噛合を入り切りさせて，安頭台の傾度を調整していた。
しかしながら，従来装置はラチェット歯とラチェット爪の噛合によって調整するので段階式の傾度調整となり，治療に必要な傾度に無段階に調整することが困難であった。
また，安頭台の付け根にロック装置の操作ハンドルが突設しているため，傾度の調整範囲が制限され，術者の施療時の動作や居場所の邪魔になり，また時には該操作ハンドルに接触して傾動機構のロックが外れるという不具合発生の原因となっていた。
【０００３】
【課題を解決するための手段】
本発明は前記課題の解決を目的とするもので，傾度のロック装置をローラーウェッジ式ロック装置Ｒにして無段階の傾度調整を可能にし，そのロック解除装置Ｆを安頭台２の裏面凹部２ａに埋没するようにして，術者の邪魔にならないようにし，接触の恐れをなくし，傾度調整の支障をなくした。
すなわち本発明は， 治療台等の背板１に装備される安頭台２を支持する円弧状支持角筒３と，背板１から突設して該円弧状支持角筒３に摺動自在に嵌挿されてなる円弧状支持角軸５を有する安頭台傾動調整装置において，前記円弧状支持角筒３内に側設され,円弧状案内角溝４の側面の途中に凹設されたくさび形状のウエッジ室７内に配置されたロックローラー６と同ローラーをウエッジ室のテーパー面に押し込む方向へ付勢するためのスプリング８とを具備してなるローラーウェッジ式ロック装置Ｒと，そのロック解除装置Ｆとを備えてなることを特徴とする治療台等の安頭台傾動調整装置である。
また本発明装置では，円弧状支持角筒３が，安頭台２をその裏面凹部２ａに埋没するようにして支持する台座３ａの下部に，円弧状案内角溝４を内設した円弧状角函体３ｂを連結して形成され，円弧状支持角軸５が，前記円弧状案内角溝４に摺動自在な円弧状角軸体５ａと背板１への取付部材５ｂとを連結して形成され，ローラーウェッジ式ロック装置Ｒが，円弧状支持角筒３内に側設され,円弧状案内角溝４の側面の途中に凹設されたくさび形状のウエッジ室７内に配置されたロックローラー６と同ローラーをウエッジ室のテーパー面に押し込む方向へ付勢するためのスプリング８とを具備してなり，円弧状案内角溝４内を摺動する円弧状支持角軸５の側面をそのロックローラー６により楔止するごとくし，ロック解除装置Ｆが，その解除装置台９を台座３ａの裏面に設置し，該解除装置台９に手動の操作ボタン９ｂを嵌着し，該操作ボタン９ｂの手押しとロックローラー６の楔止を連動し，該操作ボタン９ｂを手で押すとロックローラー６の楔止を解除して安頭台２を傾動自在とし，該操作ボタン９ｂを放すとスプリング８によりロックローラー６を楔止させ，安頭台２の傾動をロックするごとく構成することにより傾動調整に最適なものとなし得る。
また本発明装置では，安頭台２を支持する台座３ａの裏面に設置された解除装置台９と，該解除装置台９に嵌着された円柱状の操作ボタン９ｂと，該操作ボタン９ｂに形設された円錐カム９ｃと，該解除装置台９に揺動自在に枢着され，その一端に円錐カム９ｃの対接ローラー９ｄを装着し，その他端を円弧状支持角筒３の円弧状案内角溝４内に突設させた解除リンク９ｅと，前記円弧状案内角溝４に沿って掘設された凹溝１０ａ内を摺動自在で，その一端を該解除リンク９ｅの突出部９ｆに当接し，その他端をくさび形状のウェッジ室７内のロックローラー６に当接する円弧状ロック解除角棒１０とを備え，前記操作ボタン９ｂの手押しとロックローラー６の楔止を連動させるごとくした構成とすることが，邪魔にならず，簡潔な点で望ましいことである。
【０００４】
【実施例】
以下に，本発明の実施例を図面に基づき詳説する。
図１は本発明装置を装備した状態を示す縦断面図，図２は図１のＡ・Ａ線に沿った本発明装置の平面展開断面図，図３は図１のＢ・Ｂ線断面図，図４は図１のＣ・Ｃ線断面図である。また図５は本発明装置の全体斜視図である。図中，１は背板，２は安頭台，３は円弧状支持角筒，４は円弧状案内角溝，５は円弧状支持角軸，６はロックローラー，７はくさび形状のウェッジ室，８はスプリング，９は解除装置台，１０は円弧状ロック解除角棒である。
本発明の治療台等の安頭台傾動調整装置は，基本的には図１のごとく，円弧状支持角軸５を背板１に取付けて内曲がり状態に突出させ，該円弧状支持角軸５に円弧状支持角筒３を摺動自在に嵌着し，該円弧状支持角筒３の上部の台座３ａを安頭台２の裏面凹部２ａに突入させて該安頭台２を支持させ，該円弧状支持角軸５を案内する円弧状支持角筒３の円弧状案内角溝４の側部にローラーウェッジ式ロック装置Ｒを埋設し，そのロックローラー６により円弧状支持角軸５の側面を楔止して傾動をロックするようにし，前記台座３ａの裏面に解除装置台９を設置して該解除装置台９を安頭台２の裏面凹部２ａに埋設するようにし，該解除装置台９に嵌着された操作ボタン９ｂを手で押すと，その円錐カム９ｃ，対接ロール９ｄ，解除リンク９ｅを介して円弧状ロック解除角棒１０を連動し，くさび形状のウェッジ室７内のロックローラー６を突き出してロックを解除して安頭台２を傾動自在とし，操作ボタン９ｂを放すとスプリング８によりロックローラー６を楔止し，その傾動をロックするごとく構成されている。
【０００５】
前記の円弧状支持角筒３は，上部に安頭台２取付用の平板状の台座３ａを備え，その下部には円弧状案内角溝４を内設した円弧状角函体３ｂを連結し，該円弧状角函体３ｂには円弧状カバー板３ｃが被着されて形成される。また前記の円弧状支持角軸５は，前記円弧状案内角溝４に摺動自在な円弧状角軸体５ａと背板１への取付部材５ｂとを連結して形成され，該取付部材５ｂを背板１に螺着固定して，円弧状角軸体５ａを背板１から突設するようにし円弧状支持角筒３を摺動自在に嵌挿する。
また安頭台２は裏面凹部２ａを有しており，該裏面凹部２ａは十分な深さを有しているので，台座３ａは安頭台２を支持するとき該裏面凹部２ａ内に十分に埋没され，該台座３ａの裏面に設置された解除装置台９（以下に説明する）まで埋没されるようになっている。
またローラーウェッジ式ロック装置Ｒは円弧状支持角筒３に内設された円弧状案内角溝４の側面の途中に凹設されたくさび形状のウェッジ室７内に設けられている。テーパー面を有するウェッジ室７内で，ロックローラー６は当て板６ａ，スプリング８を介してテーパー面に押し込む方向に付勢され，円弧状案内角溝４内で円弧状支持角軸５の側面を楔止して傾動をロックする。
【０００６】
次に，ロックローラー６による楔止を解除するロック解除装置Ｆは，安頭台２を支持する台座３ａの裏面に設置された解除装置台９と，該解除装置台９に嵌着された円柱状の操作ボタン９ｂと，該操作ボタン９ｂに形設された円錐カム９ｃと，該解除装置台９に揺動自在に枢着され，その一端に円錐カム９ｃの対接ローラー９ｄを装着し，その他端を円弧状支持角筒３の円弧状案内角溝４内に突出させた解除リンク９ｅと，前記円弧状案内角溝４に沿って掘設された凹溝１０ａ内を摺動自在で，その一端を該解除リンク９ｅの突出部９ｆに当接し，その他端をウェッジ室７内のロックローラー６に当接する円弧状ロック解除角棒１０とを備え，前記操作ボタン９ｂを手押しすると，円錐カム９ｃ，対接ローラー９ｄ，解除リンク９ｅ，その突出部９ｆに当接する円弧状ロック解除角棒１０の順に連動し，該円弧状ロック解除角棒１０の先端でロックローラー６をスプリング８の付勢力に抗して押し戻し，テーパー面への押し込みを解放し，ロックローラー６の楔止を解除して安頭台２を傾動自在とするごとく構成されている。
また，傾動時に円弧状支持角軸５が円弧状支持角筒３から抜け出さないように，円弧状支持角軸５の底部に係止溝５ｃを掘設し，止めピン５ｄを螺着し，円弧状カバー板３ｃの止め板３ｄを突き当てる。
なお，該操作ボタン９ｂを放すと，スプリング８の付勢力により再びロックローラー６は楔止される。そのとき，ロックローラー６はテーパー面に押し込まれると同時に，円弧状ロック解除角棒１０を押し戻して，逆に操作ボタン９ｂを復元させるように連動する。
また，解除リンク９ｅを円弧状支持角筒３内に突出させて揺動可能にするため，円弧状カバー板３ｃの上端には窓３ｅが開口されている。
また，円弧状ロック解除角棒１０は凹溝１０ａ内に埋設されて摺動するため，解除リンク９ｅの突出部９ｆに当接し易いようにその先端をＬ字状に折曲げている。
【０００７】
【発明の効果】
本発明の安頭台傾動調整装置では安頭台を必要な角度に自由に調整できるから，術者の施療に最適の効果を有する。
また本発明のローラーウェッジ式ロック装置では，従来のようなラチェット部の複雑な加工がなくなり，大巾に加工口数を減小できる。
また安頭台の裏側に安頭台の裏面凹部に埋没させて解除装置台と操作ボタンを設置するので，術者の施療時に邪魔にならず，接触して不具合を発生する恐れもなく，傾度の調整範囲も大きくとれる。
【図面の簡単な説明】
【図１】本発明装置を装備した状態を示す縦断面図である。
【図２】図１のＡ・Ａ線に沿った本発明装置の平面展開図である。
【図３】図１のＢ・Ｂ線断面図である。
【図４】図１のＣ・Ｃ線断面図である。
【図５】本発明装置の全体斜視図である。
【符号の説明】
１  背板                              ２  安頭台
２ａ  裏面凹部                        ３  円弧状支持角筒
３ａ  台座                            ３ｂ  円弧状角函体
３ｃ  円弧状カバー板                  ３ｄ  止め板
３ｅ  窓                              ４  円弧状案内角溝
５  円弧状支持角軸                    ５ａ  円弧状角軸体
５ｂ  取付部材                        ５ｃ  係止溝
５ｄ  止めピン                        ６  ロックローラー
６ａ  当て板                          ７  ウェッジ室
８  スプリング                        ９  解除装置台
９ｂ  操作ボタン                      ９ｃ  円錐カム
９ｄ  対接ローラー                    ９ｅ  解除リンク
９ｆ  突出部                          １０  円弧状ロック解除角棒
１０ａ  凹溝
Ｒ  ローラーウェッジ式ロック装置
Ｆ  ロック解除装置
【図１】
0003550704.tif 000002
【図２】
0003550704.tif 000003
【図３】
0003550704.tif 000004
【図４】
0003550704.tif 000005
【図５】
0003550704.tif 000006